(57)【要約】      （修正有）【課題】パウチの取付位置を任意の範囲内で自由に選択することができ、ストーマの形成位置などの違いや使用状況に応じてその取付位置を調整することが可能であり、さらに、パウチカバーの取り付けには、肌当たりが良く、強度や耐久性も十分な面ファスナーを使用したオストメイト用下着の提供。【解決手段】前身頃１１の裏側の任意の範囲に面ファスナーのメス部材１３を設けた下着本体１と、前身頃１１の面ファスナー部分に着脱自在な面ファスナーのオス部材を備えたパウチカバー２とからなり、メス部材１３はポリエステル糸を使用した編組織にて構成され、オス部材はポリエステル樹脂を射出成型したフックにて構成されている。【選択図】図４
0003204462.tif 000002
【実用新案登録請求の範囲】
【請求項１】
前身頃の裏側の任意の範囲に面ファスナーのメス部材を設けた下着本体と、前記前身頃の面ファスナー部分に着脱自在な面ファスナーのオス部材を備えたパウチカバーとからなり、前記メス部材はポリエステル糸を使用した編組織にて構成され、前記オス部材はポリエステル樹脂を射出成型したフックにて構成されているオストメイト用下着。
【請求項２】
前記前身頃のメス部材はその丈が１０〜１５ｃｍに形成され、少なくとも正面から左右脇まで被覆すように設けられていることを特徴とする請求項１に記載のオストメイト用下着。
【請求項３】
前記前身頃のメス部材は着用者から見て右側が脇後まで延伸していることを特徴とする請求項１または請求項２のいずれかに記載のオストメイト用下着。
【請求項４】
前記前身頃のメス部材はメッシュ素材のものであることを特徴とする請求項１ないし請求項３のいずれか１項に記載のオストメイト用下着。
【請求項５】
前記パウチカバーに、パウチを出し入れするとともに、パウチを内部に収納した状態でパウチをストーマに装着するための面板を外部に露出させるための開口が形成されており、該開口は中央部分が上下に弧状に膨出する形状に形成されていることを特徴とする請求項１ないし請求項４のいずれか１項に記載のオストメイト用下着。
【請求項６】
前記開口は、パウチカバーの正面を構成する上部布と下部布の隙間として形成され、該上部布の下端部と該下部布の上端部は左右端部で重ね合うように形成されるとともに、その合わせ部分では下部布の上端部が上部布の下端部の外側に位置するように設けられていることを特徴とする請求項５に記載のオストメイト用下着。
【請求項７】
前記パウチカバーの裏面には、左右上隅とその間の計３箇所に面ファスナーのオス部材が設けられていることを特徴とする請求項１ないし請求項６のいずれか１項に記載のオストメイト用下着。
【請求項８】
前記オス部材は円形に形成されており、その周縁部がかがり縫いにより前記パウチカバーに縫い付けられていることを特徴とする請求項１ないし７のいずれか１項に記載のオストメイト用下着。
【考案の詳細な説明】
【技術分野】
【０００１】
本考案は、ストーマすなわち人工肛門・人口膀胱に装着されるストーマ袋（パウチ）を収納保持する機能を有するオストメイト用下着に関する。
【背景技術】
【０００２】
ストーマ袋（パウチ）を収納保持する機能を有するオストメイト用下着として、特許文献１には、パンツの左右前身頃にそれぞれポケットが設けられ、ポケット上方に横長開口が仮縫い状態で閉じられたものが開示されている。このものは、ストーマ装具を保持する際、ストーマの位置に応じて左右いずれかの開口の仮縫いを切断し、ストーマ装具の、ストーマに接着した皮膚接着部から一体に延びるパウチを、開口を経てパンツ外へ引き出してポケット内へ収納するというものである。
【０００３】
また、特許文献２には、右前身頃と左前身頃のいずれか一方もしくは両方に、パウチ取り付け時に開口部を形成する切り込みを備え、該切り込みの下方にはパウチの下部を挿入可能なパウチ支持部を備え、切り込みの上方には切り込みから少なくともパウチ支持部の上端までを被覆可能な垂布が着脱自在に設けられたオストメイト用下着が開示されている。このものは、パウチの下部を挿入して支持するパウチ支持部により安定的にパウチを支持することができ、更に、パウチ支持部に収納された下部を残してその他の部分は外部に露出することになるため、ストーマへのパウチの着脱がより簡易に行うことができるというものである。
【０００４】
さらに、特許文献３には、パンツ本体にあけた穴からパウチを出し、袋の中に入れて面ファスナーで留めて使用する下着が開示されている。
【０００５】
しかしながら、これらのオストメイト用下着では、パウチの取付位置はパウチを収納するポケットやパウチ支持部の位置、あるいは下着の穴の位置により予め決められており、かかる取付位置以外の部分で任意にパウチを下着に取り付けることはできなかった。
【０００６】
すなわち、ストーマの形成位置は患者によって異なるため、かかる個人差を考慮した取付位置の調整が必要である。また、着席体勢時など腰部分が屈曲した際にパウチが折れるなどして尿がうまくパウチ内に溜まらない状態となることを避けるために、パウチを脇にずらすなどの使用状況に応じた位置調整も必要である。その点、上記の従来技術のオストメイト用下着はそのような細かいパウチの位置調整が困難であった。
【０００７】
また、それ以外の課題としては、特許文献３に開示されたオストメイト用下着のように面ファスナーによってパウチの収納袋を固定するものの場合、一般的なナイロン製の面ファスナーを使用すると、かかる面ファスナー部分が肌に触れた場合に肌当たりが悪く、また、強度や耐久性の点においても不十分な場合があった。
【先行技術文献】
【特許文献】
【０００８】
【特許文献１】特開２００４−４３７
【特許文献２】実用新案登録第３１９０９３２号
【特許文献３】実用新案登録第３０８４２５３号
【考案の概要】
【考案が解決しようとする課題】
【０００９】
従って、本考案は、パウチの取付位置を任意の範囲内で自由に選択することができ、ストーマの形成位置などの違いや使用状況に応じてその取付位置を調整することが可能であり、さらに、パウチカバーの取り付けには、肌当たりが良く、強度や耐久性も十分な面ファスナーを使用したオストメイト用下着を提供することをその課題とするものである。
【課題を解決するための手段】
【００１０】
本考案は、上記課題を解決するものであり、前身頃の裏側の任意の範囲に面ファスナーのメス部材を設けた下着本体と、前記前身頃の面ファスナー部分に着脱自在な面ファスナーのオス部材を備えた袋状のパウチカバーとからなり、前記メス部材はポリエステル糸を使用した編組織にて構成され、前記オス部材はポリエステル樹脂を射出成型したフックにて構成されているオストメイト用下着である。  
【考案の効果】
【００１１】
本考案に係るオストメイト用下着は、下着本体のメス部材が設けられている範囲内であれば任意の位置でパウチカバーを取り付けることが可能なため、着用者のストーマ位置に最も合う位置にストーマ袋の取付位置を調整することができる。
【００１２】
また、本考案に係るオストメイト用下着は、面ファスナーのメス部材が高伸度且つ高強度のポリエステル糸を使用した編組織にて構成され、オス部材はポリエステル樹脂を射出成型したフックにて構成されているため、肌当たりの良さに加え十分な強度や耐久性を備えている。
【図面の簡単な説明】
【００１３】
【図１】本考案に係るオストメイト用下着本体の正面図。
【図２】本考案に係るオストメイト用下着本体の正面裏側を示す図。
【図３】（ａ）本考案に係るオストメイト用下着のパウチカバーの正面図、（ｂ）本考案に係るオストメイト用下着のパウチカバーの背面図。
【図４】本考案に係るオストメイト用下着の使用状態を示す図。
【考案を実施するための形態】
【００１４】
以下、本考案のオストメイト用下着の一実施態様を、図面に基づいて具体的に説明する。なお、本考案はこれら実施態様に何ら制約されるものではない。
【００１５】
本考案のオストメイト用下着は、下着本体１と該下着本体１に着脱自在に設けられたパウチカバー２からなる。下着本体１は、その外観からはオストメイト用の下着とは分からないように、普通の下着と同じ仕様に仕上げられている。
【００１６】
図２は、下着本体１の前身頃１１の裏側を模式的に表した図である。図に示すように、前身頃１１の上部の任意の範囲に、面ファスナーのメス部材１３が設けられている。メス部材１３は、パウチカバー２を取り付ける可能性がある範囲を被覆するように設ければよく、具体的には、その丈はストーマを増設する範囲を十分に被覆できるように、１０ｃｍ〜１５ｃｍとすることが好ましい。かかる数値は、使用者のへその位置から、座ったときの最も腹部が出ている頂点より少し上までの距離が基準となる。
【００１７】
また、メス部材１３は着用者の正面のみならず、少なくとも左右脇まで被覆するように設けることが好ましく、さらに、着用者から見て右側が脇後まで延伸するよう設けることがより好ましい。これにより、ウロストミー（膀胱ストーマ）のストーマ増設位置であるおおよそ右側にストーマすなわち人口膀胱を取り付けた場合、パウチカバー２の取付位置を脇後にずらすことで、座位などの屈曲姿勢時においてもパウチが中折れすることを防ぐことができる。
【００１８】
かかるメス部材１３は、高伸度且つ高強度のポリエステル糸を使用した編組織にて構成されることにより、肌当たりの良さに加え十分な強度や耐久性を備えている。さらに、メス部材１３は、メッシュ素材のものを使用することが好ましく、メス部材１３をメッシュ素材とすることにより、着用時の蒸れを解消することができるとともに、メッシュ素材の凹凸によって肌に直接触れる面積を減らし、通気性を向上させることができる。
【００１９】
下着本体１に取り付けられるパウチカバー２は、内部にパウチ３を収納可能な袋状に形成されている。図３に示すように、パウチカバー２の正面には、パウチ３を出し入れするとともに、パウチ３をストーマに装着するための面板３１を外部に露出させるための開口２４が形成されている。かかる開口２４は、パウチカバー２の正面を構成する上部布２１と下部布２２の隙間として形成される。詳しくは、上部布２１の下端部２１１はその中央側が上方へ緩やかに膨出する弧状に形成され、下部布２２の上端部２２１はその中央側が下方へ緩やかに膨出する弧状に形成されており、それらの下端部２１１と上端部２２１が対向してその隙間で開口２４を形成している。
【００２０】
このように、開口２４は中央部分が上下に弧状に膨出する形状とすることにより、パウチを収納したときに、パウチ３の面板３１に沿った開口形状となってパウチ３本体の露出が最小限となり（図４）、パウチ３からの漏れがパウチカバー２外へ滲みだして下着本体１を汚すことを防ぐことができるとともに、着用者の汗を本体２１でより効果的に吸収することができる。
【００２１】
また、上部布２１の下端部２１１と下部布２２の上端部２２１は左右端部側で完全に重ね合うように形成されている。かかる下端部２１１と上端部２２１の左右の合わせ部分は、下部布２２の上端部２２１が上部布２１の下端部２１１の外側に位置するように設けることが好ましい。このように、下部布２２の上端部２２１が外側となるようにすることで、パウチ３を開口２４の上からポケットに差し込むようなかたちでパウチカバー２内に容易に収納することが可能となる。さらに、開口２４の両側の合わせ部分により、パウチカバー２からパウチ３が不意に外れてしまうことを防ぐことができる。
【００２２】
パウチカバー２の背面を構成する背布２３には、面ファスナーのオス部材２５が設けられ、かかるオス部材２５により下着本体１のメス部材１３に取付可能となっている。オス部材２５は、排泄物の重さでカバーが垂れ下がらないように、図に示すように左右上隅とその間の計３箇所設けることが好ましい。このように３箇所のオス部材２５の間にパウチカバー２の背布２３の身生地を残すことにより、生地の伸縮性を活かし着用時の身体の動きを妨げないことを目的としている。また、その肌のあたりを軽減するために、形状を円形とするとともに、その周縁部をかがり縫いにより背布２３に縫い付けることが好ましい。
【００２３】
オス部材２５は、ポリエステル樹脂を射出成型したフックにて構成されており、前述のメス部材１３と同様、肌当たりの良さに加え十分な強度や耐久性を備えている。また、パウチカバー２の上部布２１、下部布２２、背布２３の素材は、表側は肌触りが良いように下着本体１の身生地と同じ素材を使用することが好ましく、また、その内側には、排泄物が漏れず、且つ湿気を逃がす透湿防水布を使用することが好ましい。
【００２４】
図４は、本考案のオストメイト用下着の使用例を示したものである。本考案のパウチカバー２にパウチ３を収納し、面板３１のみパウチカバー２の開口２４から外部に露出させる。そして、下着本体１のメス部材１３にパウチカバー２のオス部材２５を貼付することにより取り付けが完了する。パウチカバー２は下着本体１のメス部材１３が設けられている範囲内であればどの位置にも取り付けることが可能なため、パウチ３をストーマに装着後、着用者のストーマ位置に最も合う位置に微調整することができる。
【符号の説明】
【００２５】
１…… 下着本体
２…… パウチカバー
３…… パウチ
１１…… 前身頃
１２…… ゴム部
１３…… メス部材
２１…… 上部布
２２…… 下部布
２３…… 背布
２４…… 開口
２５…… オス部材
３１…… 面板
２３１……上側布の下端部
２３２……下側布の上端部  
【図１】
0003204462.tif 000003
【図２】
0003204462.tif 000004
【図３】
0003204462.tif 000005
【図４】
0003204462.tif 000006